(57)【特許請求の範囲】
【請求項１】
前面開口の箱形に形成されて中空壁を構成する内壁に設けた取付孔に室内側から嵌挿されるとともに前記開口の端縁に沿って前記内壁表面への当接部を突設したボックス本体と、前記内壁の裏面における前記取付孔の周囲に配置される挟み部材と、前記ボックス本体から挟み部材へと螺装される固定ねじとからなり、前記固定ねじを螺締することにより前記ボックス本体と挟み部材とで前記内壁を挟持して前記内壁の前記取付孔に設置される配線器具取付用ボックスにおいて、前記ボックス本体は硬質合成樹脂で作られた箱形で頂壁および底壁の前端部には、前記固定ねじ挿通孔が設けられているとともに前記ボックス本体の頂壁および底壁には、前記挟み部材の螺着部が嵌挿可能な切欠部がそれぞれ設けられており、前記各切欠部は前記ボックス本体の後方から嵌め込んだ挟み部材の各螺着部が、ボックス本体の前後方向に向かって摺動可能となるように且つ各当接片と挟み部材とで内壁を挟持することができるように、背壁の一部を切り欠き、そこから前方に向かって、頂壁および底壁のそれぞれの内壁の厚さとほぼ同じ厚みだけを前端縁から残して切り欠いて形成されていることを特徴とする配線器具取付用ボックス。
【請求項２】
前記頂壁および底壁の前端部に設けられた固定ねじの挿通孔の内、少なくととも一方が上下方向へ延びる長孔に形成されている請求項１または２記載の線器具取付用ボックス。
【発明の詳細な説明】
【０００１】
【発明の属する技術分野】
本発明は、コンセントやスイッチなどの配線器具を、中空層を有する壁に取り付ける際に用いられる配線器具取付用ボックスに関するものである。
【０００２】
【従来の技術】
従来、建築物の構造体に内壁を取り付ける際に中空層を有する壁構造を形成し、その中空層の中に各種配線を行うことがある。
【０００３】
このような構成の壁にコンセントやスイッチなどの配線器具を配線器具取付用ボックスを用いて取り付ける場合、従来は、内壁を施工する前に、構造体を構成する胴縁等に予め配線器具取付用ボックスを取り付け、その配線器具取付用ボックスの設置位置に合わせて予め取付孔を設けた内壁を施工して配線を行っていた。ところが、施工の際に、配線器具取付用ボックスと予め別途に形成しておいた内壁の取付孔との位置を正確に一致させることは困難であった。
【０００４】
また、内壁を施工した後、配線器具取付用ボックスの設置位置に合わせて取付孔を設ける工法が採られる場合もあるが、これは極めて面倒な作業であり、更に、この場合もまた、配線器具取付用ボックスと取付孔との位置を一致させることが困難であった。
【０００５】
加えて、構造体に配線器具取付用ボックスを取り付ける工法の場合には、一旦内壁を施工してしまうと配線器具の設置個所の変更や増設ができない、という問題もあった。
【０００６】
【発明が解決しようとする課題】
本発明が解決しようとする課題は、従来の配線器具取付用ボックスを用いた場合は、配線器具取付用ボックスの取付位置と内壁に設けた配線器具を取り付けるための取付孔とを一致させる作業が極めて面倒であるうえ、一旦内壁を施工してしまうと配線器具の設置個所の変更や増設ができない、という点である。
【０００７】
【課題を解決するための手段】
そこで、本発明は、前面開口の箱形に形成されて中空壁を構成する内壁に設けた取付孔に室内側から嵌挿されるとともに開口の端縁に沿って内壁表面への当接部を突設したボックス本体と、内壁の裏面における取付孔の周囲に配置される挟み部材と、ボックス本体から挟み部材へと螺装される固定ねじとからなり、固定ねじを螺締することによりボックス本体と挟み部材とで内壁を挟持して内壁の取付孔に設置される配線器具取付用ボックスにおいて、前記ボックス本体は硬質合成樹脂で作られた箱形で頂壁および底壁の前端部には、前記固定ねじ挿通孔が設けられているとともに前記ボックス本体の頂壁および底壁には、前記挟み部材の螺着部が嵌挿可能な切欠部がそれぞれ設けられており、前記各切欠部は前記ボックス本体の後方から嵌め込んだ挟み部材の各螺着部が、ボックス本体の前後方向に向かって摺動可能となるように且つ各当接片と挟み部材とで内壁を挟持することができるように、背壁の一部を切り欠き、そこから前方に向かって、頂壁および底壁のそれぞれの内壁の厚さとほぼ同じ厚みだけを前端縁から残して切り欠いて形成されている配線器具取付用ボックスとした。また、前記構成において、前記頂壁および底壁の前端部に設けられた固定ねじの挿通孔の内、少なくととも一方が上下方向へ延びる長孔に形成されている構成とした。
【０００８】
中空壁を構成する内壁の適宜位置に、配線器具取付用の取付孔を形成する。
【０００９】
そして、ボックス本体の前面から挿通した固定ねじを、内壁の取付孔を挿通して内壁裏側の中空層へ挿入させた挟み部材に螺締することによって、ボックス本体の当接片と挟み部材とで内壁が挟持される。
【００１０】
また、配線コードを配線器具に接続し、更に配線器具を取り付けた配線器具取付枠をボックス本体に固定して、表面をカバープレートで被覆することにより、配線器具が設置される。
【００１１】
【発明の実施の形態】
本発明の実施の形態を図面に基づいて説明する。
【００１２】
図１は本発明の好ましい実施の形態の一例を示すものであり、配線器具取付用ボックスは、ボックス本体２、挟み部材３、および固定ねじ４からなっている。
【００１３】
ボックス本体２は、通常、硬質合成樹脂等で作られ、コンセントやスイッチなどの配線器具６を取り付けるための開口を前面に有した箱形に形成されており、左右の側壁２１，２１の開口端縁に沿って、側壁２１，２１と垂直方向に且つ外方へ向かって舌片状の当接片２５，２５が形成されている。
【００１４】
また、頂壁２２および底壁２３の前端部には、固定ねじ４，４の挿通孔２７，２８が設けられており、上側の挿通孔２７は、図２に示すように、上下方向へ延びる長孔に形成されている。そして、これらの挿通孔２７，２８に隣接して、配線器具取付枠７を取り付けるための固定ねじ８，８を螺締する雌ねじ孔２９，２９が設けられている。
【００１５】
挟み部材３は、横幅がボックス本体２の幅よりも小さく、縦方向の開口幅がボックス本体２の高さよりも大きい略コ字形の薄板であって、通常、金属で作られる。
【００１６】
そして、挟み部材３の上下のフランジ部３１，３１の端部から、それぞれ相対する方向に、ねじ孔３３，３３を有する螺着部３２，３２が突出形成されている。
【００１７】
固定ねじ４は、汎用の皿小ねじ等が用いられ、ボックス本体２の挿通孔２７，２８に挿通され、挟み部材３のねじ孔３３，３３に螺合される。
【００１８】
また、ボックス本体２の頂壁２２および底壁２３には、挟み部材３の螺着部３２，３２が嵌挿可能な切欠部２６，２６が設けられている。これらの切欠部２６，２６は、ボックス本体２の後方から嵌め込んだ挟み部材３の螺着部３２，３２が、ボックス本体２の前後方向に向かって摺動可能となるように、且つ当接片２５，２５と挟み部材３とで内壁１１を挟持することができるように、背壁２４の一部を切り欠き、そこから前方に向かって、内壁１１の厚さとほぼ同じ厚みだけを頂壁２２および底壁２３のそれぞれの前端縁から残して切り欠いて形成される。
【００１９】
尚、ねじ孔３３，３３は、挟み部材３の螺着部３２，３２をボックス本体２内に嵌め込んだときに、挿通孔２７，２８に挿通した固定ねじ４，４がねじ孔３３，３３に合致して螺挿可能となる位置に設けられている。また、挿通孔２７，２８は、少なくとも先端側が、固定ねじ４の頭部の形状に合わせた截頭円錐形に形成されることが好ましい。
【００２０】
また、雌ねじ孔２９，２９は、ボックス本体２の切欠部２６，２６に挟み部材３の螺着部３２，３２を嵌め込んだときに螺着部３２，３２によって先端が塞がれることのないような位置に設けられる。
【００２１】
次に、図３乃至図７を参照して、本発明の配線器具取付用ボックスを用いて配線器具６を設置する方法を説明する。
【００２２】
先ず、図３に示すように、固定ねじ４をボックス本体２の前面から上側の挿通孔２７に挿通し、固定ねじ４の先端部を挟み部材３の上側のねじ孔３３に螺着させて、ボックス本体２と挟み部材３とを仮止めする。こうすることによって、挟み部材３が中空層１０の下方に落下するのを防ぐことができる。
【００２３】
一方、中空壁の中空層１０に配設されている配線コード５の端部を、内壁１１に設けられた取付孔１２から室内側に引き出し、更にボックス本体２の切欠部２６を挿通させてボックス本体２の前面に引き出す。或いは、ボックス本体２の背壁２４に、別途配線コード５を挿通させるための孔を設けてもよい。
【００２４】
そして、取付孔１２から挟み部材３の下部を中空部１０に挿入させた後、図４に示すように、上部もくぐらせて挟み部材３を内壁１１の裏側に位置させる。このとき、ボックス本体２と挟み部材３とが距離を設けて仮止めされている方が、挟み部材３を中空部１０内に挿入する作業が容易であるので、固定ねじ４は、やや長いものを用いることが好ましい。また、上側の挿通孔２７が長孔に形成されているので、固定ねじ４を挿通孔２７の軸方向に対して角度を持たせ、挟み部材３をボックス本体２に対して傾けて中空部１０内に挿入させることができるので、挟み部材３が容易に挿入できる。
【００２５】
次に、固定ねじ４をねじ込むと、図５に示すように、挟み部材３がボックス本体２の方向へ引き寄せられ、内壁１１の裏面に向かって移動する。下側の挿通孔２８にも固定ねじ４を挿通させ、ねじ孔３３に螺合させて、上下両方の固定ねじ４，４を締め込む。以上の作業で、ボックス本体２の当接片２５，２５と挟み部材３とが内壁１１を挟持し、配線器具取付用ボックスが内壁１１に固定される。
【００２６】
その後、配線コード５の端部をコンセント等の配線器具６に接続し、配線器具６を配線器具取付枠７に取り付ける。そして、図６に示すように、固定ねじ８を配線器具取付枠７の通孔７１，７１から挿通し、ボックス本体２の雌ねじ孔２８，２８に螺合させて配線器具取付枠７を取り付けた後、カバープレート９を配線器具取付枠７の表面に被覆すれば、図７に示すように、配線器具の取り付けが完成する。
【００２７】
【発明の効果】
本発明によると、中空壁の施工後に形成した取付孔に、室内側から簡単且つ正確に配線器具取付用ボックスを設置することができる。
【００２８】
従って、従来のように、予め取り付けられた配線器具取付用ボックスの位置と内壁に設けた配線器具取付用の取付孔の位置とが合わないというトラブルが生じることがないうえ、配線器具の取付個所の変更や取付数の増加が自由にできる。
【００２９】
また、挟み部材はボックス本体に固定ねじによって仮止めしてから中空部内に挿入されることができるので、挟み部材が中空部に落下してしまう心配がない。
【図面の簡単な説明】
【図１】本発明の実施の形態の一例を示す斜視図である。
【図２】図１に示した実施の形態におけるボックス本体の正面図である。
【図３】図１に示した実施の形態を用いた施工の第一手順を示す縦断面図である。
【図４】図３に続く施工手順を示す縦断面図である。
【図５】図４に続く施工手順を示す縦断面図である。
【図６】図５に続く施工手順を示す縦断面図である。
【図７】図１に示した実施の形態における施工が完成した状態を示す縦断面図である。
【符号の説明】
２  ボックス本体、３  挟み部材、４  固定ねじ、５  配線コード、６  配線器具、７  配線器具取付枠、１０  中空部、１１  内壁、１２  取付孔、２１  側壁、２２  頂壁、２３  底壁、２５  当接片、２６  切欠部、２７，２８  挿通孔、２９  雌ねじ孔、３１  フランジ部、３２  螺着部、３３  ねじ孔
【図１】
0003729579.tif 000002
【図２】
0003729579.tif 000003
【図３】
0003729579.tif 000004
【図４】
0003729579.tif 000005
【図５】
0003729579.tif 000006
【図６】
0003729579.tif 000007
【図７】
0003729579.tif 000008